(57)【要約】【課題】本考案は、Ｗｉ−Ｆｉワイヤレス伝送技術を用いて、モバイル機器内のマルチメディアデータをデータ処理機器に伝送し、さらに、データ処理機器によってマルチメディアデータの処理を行えるフォトキオスクを提供する。【解決手段】モバイル機器と、データ処理機器とによって構成する。前記モバイル機器には、アプリケーションが事前に組み込まれ、前記モバイル機器には、マルチメディアデータを保存できる記憶装置と、前記マルチメディアデータを伝送できるＷｉ−Ｆｉ伝送装置とが設けられる。前記データ処理機器は、前記アプリケーションと対応するアプリケーションを備え、前記データ処理機器には、前記マルチメディアデータを受信できるＷｉ−Ｆｉ受信装置が設けられる。【選択図】図４
0003171609.tif 000002
【実用新案登録請求の範囲】
【請求項１】
モバイル機器と、データ処理機器とによって構成する、フォトキオスクであって、
前記モバイル機器には、アプリケーションが事前に組み込まれ、前記モバイル機器には、マルチメディアデータを保存できる記憶装置と、前記マルチメディアデータを伝送できるＷｉ−Ｆｉ伝送装置とが設けられ、
前記データ処理機器は、前記アプリケーションと対応するアプリケーションを備え、前記データ処理機器には、前記マルチメディアデータを受信できるＷｉ−Ｆｉ受信装置が設けられることを特徴とする、フォトキオスク。
【請求項２】
前記フォトキオスクは、更に、前記データ処理機器と接続されて前記マルチメディアデータの出力を行うことができる印刷装置を備えることを特徴とする、請求項１に記載のフォトキオスク。
【請求項３】
前記フォトキオスクは、更に、前記データ処理機器とネットワーク接続されて前記マルチメディアデータの編集を行うことができるソーシャルネットワーキングサービスを備えることを特徴とする、請求項１に記載のフォトキオスク。
【請求項４】
前記フォトキオスクは、更に、前記データ処理機器と接続されて前記マルチメディアデータの保存を行うことができる保存装置を備え、前記保存装置は、ＣＤ・ＤＶＤレコーダー、或いは、ＵＳＢ、或いは、携帯電話の内の一つであることを特徴とする、請求項１に記載のフォトキオスク。
【請求項５】
前記モバイル機器は、携帯電話、或いは、スマートフォン、或いは、ノート型パソコンであることを特徴とする、請求項１に記載のフォトキオスク。
【考案の詳細な説明】
【技術分野】
【０００１】
本考案はワイヤレス伝送機器に関し、特にＷｉ−Ｆｉワイヤレス伝送技術を利用してモバイル機器にマルチメディアデータをデータ処理機器に伝送させ、さらに後続処理を行えるフォトキオスクに関する。
【背景技術】
【０００２】
現在の社会はＩＴ化されており、電子産業が絶え間ない発展を遂げている時代である。各種のコンピューターから派生した高い科学技術による製品、モバイル通信の発展は速く、しかも、われわれの生活と深く関連があり、それは、人と人の間の時間と空間の距離を縮めてくれる。
【０００３】
特に、現在の携帯電話は、前述の基本的な目的を達成している以外に、その大多数はカメラの機能を兼ね備えており、撮影した写真を携帯内に保存することができる。さらに、携帯電話は対話をするツールにととまらず、科学技術の日進月歩の進歩に伴い、現在の携帯電話は次第にスマートフォンへとレベルアップしつつある。このスマートフォンは、インターネット機能を多く兼ね備えているため、携帯電話は、更に多元化しており、しかも、さらに多くのマルチメディアの面白みを享受することができるようになっている。
【０００４】
しかしながら、現在の携帯電話のブランドは数多く、各ブランドの携帯電話の伝送規格は異なっているため、もし、携帯電話内のマルチメディアデータを出力し、関連の編集作業を行う際は、パソコンを用いて携帯電話内のマルチメディアデータを取り出さなければならない。また、もし、写真を印刷しなければならない時は、携帯電話内から出力された写真を外部メモリに保存し、その後、外部メモリを、写真を現像できる店に持っていくか、或いは、写真を印刷する機器にセットし、操作を行う必要がある。また、もし、一般的な文書データである場合は、その出力方法は、前述写真的輸出方式と大差はないが、この種の方法は、現代の最先端のスマートフォンでデータの出力を行う際に極めて不便である。
【考案の概要】
【考案が解決しようとする課題】
【０００５】
本考案は、Ｗｉ−Ｆｉワイヤレス伝送技術を用いて、モバイル機器内のマルチメディアデータをデータ処理機器に伝送し、さらに、データ処理機器によってマルチメディアデータの処理（例えば、印刷、保存、或いは、インターネットを介したソーシャルネットワーキングサービスへのアップロード）を行えるフォトキオスクを提供することを目的とする。
【課題を解決するための手段】
【０００６】
上述の目的を達成するために、本考案によるフォトキオスクは、モバイル機器と、データ処理機器とによって構成する。前記モバイル機器には、アプリケーションが事前に組み込まれ、前記モバイル機器には、マルチメディアデータを保存できる記憶装置と、前記マルチメディアデータを伝送できるＷｉ−Ｆｉ伝送装置とが設けられる。前記データ処理機器は、前記アプリケーションと対応するアプリケーションを備え、前記データ処理機器には、前記マルチメディアデータを受信できるＷｉ−Ｆｉ受信装置が設けられる。
【考案の効果】
【０００７】
本考案は、一般的なマルチメディアデータのアップロードの方法と手段を変えることができ、更に、使用者の利便性を向上させることができる。
【図面の簡単な説明】
【０００８】
【図１】本考案の好ましい実施例を示したブロック図である。
【図２】本考案のモバイル機器にアプリケーションを組み込む状態を示した説明図である。
【図３】本考案のデータ処理機器を外部装置に接続した状態を示した説明図である。
【図４】印刷装置に適用させた本考案でＷｉ−Ｆｉワイヤレス伝送を行っている状態を示したブロック図である。
【図５】ソーシャルネットワーキングサービスに適用させた本考案でＷｉ−Ｆｉワイヤレス伝送を行っている状態を示したブロック図である。
【図６】本考案のＷｉ−Ｆｉワイヤレス伝送によりアプリケーションのインストールを行っている状態を示した説明図である。
【図７】保存装置に適用させた本考案でＷｉ−Ｆｉワイヤレス伝送を行っている状態を示したブロック図である。
【考案を実施するための形態】
【０００９】
図１、図２、図３を参照する。図１は、本考案の好ましい実施例を示したブロック図であり、図２は、考案のモバイル機器にアプリケーションを組み込む状態を示した説明図であり、図３は、本考案のデータ処理機器を外部装置に接続した状態を示した説明図である。図から分かるように、本考案のフォトキオスクは、モバイル機器１と、データ処理機器２とからなる。モバイル機器１（例えば、携帯電話、或いは、スマートフォン、或いは、ノート型パソコン）にはアプリケーション１０が事前に組み込まれ、モバイル機器１には、マルチメディアデータを保存できる記憶装置１２と、前記マルチメディアデータを伝送できるＷｉ−Ｆｉ伝送装置１４とが設けられる。データ処理機器２は、アプリケーション１０に対応するアプリケーション２０を備え、データ処理機器２には、前記マルチメディアデータを受信できるＷｉ−Ｆｉ受信装置２２が設けられる。
【００１０】
本考案のフォトキオスクは、更に、印刷装置３と、ソーシャルネットワーキングサービス４と、保存装置５とを備える。印刷装置３は、前記データ処理機器２と接続されて前記マルチメディアデータの出力を行う。ソーシャルネットワーキングサービス４は、前記データ処理機器２とネットワーク接続されて前記マルチメディアデータの編集を行う。保存装置５（例えば、ＣＤ・ＤＶＤレコーダー、或いは、ＵＳＢ、或いは、携帯電話）は、前記データ処理機器２と接続されて前記マルチメディアデータの保存を行う。
【００１１】
上述の構造、組合せからなる本考案を使用した際の作動状況を以下に説明する。図４を参照する。図４は、本考案をＷｉ−Ｆｉワイヤレス伝送を行っている状態を示したブロック図である。図から分かるように、モバイル機器１内のアプリケーション１０は、主に、インターネットによってパソコンにダウンロードされた後、更に、モバイル機器１（ここでは、スマートフォンを例にとる）にインストールされる。アプリケーション１０がインストールされた後、モバイル機器１は、Ｗｉ−Ｆｉ伝送装置１４を利用して、データ処理機器２のＷｉ−Ｆｉ受信装置２２と直接接続される。この時、モバイル機器１は、Ｗｉ−Ｆｉワイヤレス伝送技術によって、データ処理機器２を探しだすことができ、モバイル機器１内のアプリケーション１０は、データ処理機器２のアプリケーション２０と相互に対応し、それにより、モバイル機器１とデータ処理機器２の間の伝送媒介が確定する。その後、マルチメディアデータは、記憶装置１２から、Ｗｉ−Ｆｉ伝送装置１４を介して伝送され、Ｗｉ−Ｆｉ受信装置２２によって受信される。
【００１２】
データ処理機器２は、様々な外部装置に接続することができるが、ここでは、印刷装置３を例にとる。データ処理機器２のＷｉ−Ｆｉ受信装置２２がモバイル機器１から出力された映像データ（写真）を受信した後、データ処理機器２によって、この映像データは印刷装置３に送られ、映像データは印刷される。このように、使用者は、Ｗｉ−Ｆｉワイヤレス伝送技術によって、モバイル機器１（スマートフォン）内のマルチメディアデータ（写真）を、速やかに印刷することができ、従来の伝送方式を用いる必要がなくなる。
【００１３】
前述した機器を使用して、別の実施形態を行うことができる。図５を参照する。図５は、ソーシャルネットワーキングサービスに適用させた本考案でＷｉ−Ｆｉワイヤレス伝送を行っている状態を示したブロック図である。図から分かるように、モバイル機器１内のアプリケーション１０は、主にインターネットからパソコンへダウンロードされた後、さらにモバイル機器１（ここでは、ノート型パソコンを例にとる）にインストールされる。アプリケーション１０のインストールが終わった後、モバイル機器１を、Ｗｉ−Ｆｉ伝送装置１４を利用して、データ処理機器２のＷｉ−Ｆｉ受信装置２２に直接接続させることができる。この時、モバイル機器１は、Ｗｉ−Ｆｉワイヤレス伝送技術によってデータ処理機器２を探しだすことができ、モバイル機器１内のアプリケーション１０は、データ処理機器２のアプリケーション２０と相互に対応し、それにより、モバイル機器１とデータ処理機器２の間の伝送媒介を確定させることができる。その後、マルチメディアデータは、記憶装置１２からＷｉ−Ｆｉ伝送装置１４を介して伝送され、Ｗｉ−Ｆｉ受信装置２２に受信される。
【００１４】
データ処理機器２は各種の外部装置に接続させることができるが、ここでは、ソーシャルネットワーキングサービス４（例えば、Ｆａｃｅ  Ｂｏｏｋ、ｍｙ  ｓｐａｃｅ、Ｂｌｏｇ、Ｒｓｓ、或いは、個人サイト）を例にとる。データ処理機器２のＷｉ−Ｆｉ受信装置２２がモバイル機器１から出力された映像データ（写真）を受信した後、データ処理機器２によって、この映像データはインターネットを介してソーシャルネットワーキングサービス４へ送られ、ソーシャルネットワーキングサービス４によって、前記映像データは、編集、或いは、友人へのシェアが行われる。このように、使用者は、Ｗｉ−Ｆｉワイヤレス伝送技術によって、モバイル機器１（ノート型パソコンを例にとる）内のマルチメディアデータ（写真）を、速やかにソーシャルネットワーキングサービス４にアップロードすることができ、従来の伝送方式を用いる必要がなくなる。
【００１５】
前述した機器を使用して、別の実施形態を行うことができる。図６と図７を参照する。図６は、本考案のＷｉ−Ｆｉワイヤレス伝送によりアプリケーションのインストールを行っている状態を示した説明図であり、図７は、保存装置に適用させた本考案でＷｉ−Ｆｉワイヤレス伝送を行っている状態を示したブロック図である。モバイル機器１内のアプリケーション１０は、Ｗｉ−Ｆｉワイヤレス伝送技術によってデータ処理機器２から取得することができる。この時、アプリケーション１０は、モバイル機器１（スマートフォンを例にとる）に直接インストールすることができる。アプリケーション１０をインストールした後、モバイル機器１は、Ｗｉ−Ｆｉ伝送装置１４を利用して、データ処理機器２のＷｉ−Ｆｉ受信装置２２と接続することができる。この時、モバイル機器１は、Ｗｉ−Ｆｉワイヤレス伝送技術によってデータ処理機器２を探しだすことができ、モバイル機器１内のアプリケーション１０はデータ処理機器２のアプリケーション２０と対応し、それにより、モバイル機器１とデータ処理機器２の間の伝送媒介を確定させることができる。その後、マルチメディアデータは、記憶装置１２からＷｉ−Ｆｉ伝送装置１４によって伝送され、Ｗｉ−Ｆｉ受信装置２２によって受信される。
【００１６】
データ処理機器２は、各種の外部装置に接続されるが、ここでは、保存装置５（例えば、ＣＤ・ＤＶＤレコーダー、ＵＳＢ、携帯電話）を例にとる。データ処理機器２のＷｉ−Ｆｉ受信装置２２がモバイル機器１から出力された文書データを受信した後、データ処理機器２によって、この文書データはインターネットを介して保存装置５に送られ、さらに、保存装置５によって、前記文書データの保存が行われる。このようにして、使用者は、Ｗｉ−Ｆｉワイヤレス伝送技術によって、モバイル機器１（スマートフォンを例にとる）内のマルチメディアデータ（文書データ）を保存装置５に保存することができ、しいては、従来の伝送方式に取って代わることができる。
【符号の説明】
【００１７】
１      モバイル機器
１０    アプリケーション
１２    記憶装置
１４    Ｗｉ−Ｆｉ伝送装置
２      データ処理機器
２０    アプリケーション
２２    Ｗｉ−Ｆｉ受信装置
３      印刷装置
４      ソーシャルネットワーキングサービス
５      保存装置
【図１】
0003171609.tif 000003
【図２】
0003171609.tif 000004
【図３】
0003171609.tif 000005
【図４】
0003171609.tif 000006
【図５】
0003171609.tif 000007
【図６】
0003171609.tif 000008
【図７】
0003171609.tif 000009